(57)【特許請求の範囲】
【請求項１】
画像を表示制御する表示制御装置であって、
前記画像が表示される表示位置近傍の人物を検出した際は、その検出した人物を判別する判別手段と、
前記判別手段で判別された人物に応じた画像加工種を選択する選択手段と、
前記人物の検出により表示対象となる表示画像を特定し、その特定された表示画像を前記選択手段で選択された画像加工種に応じて加工した加工表示画像を、前記検出の人物向けの表示画像として表示する表示制御手段と、
を具備したことを特徴とする表示制御装置。
【請求項２】
前記判別手段は、前記検出の人物が、予め登録された人物か否かを判別することにより、その人物を判別する、
ことを特徴とする請求項１に記載の表示制御装置。
【請求項３】
前記判別手段は、前記検出の人物が、予め登録された複数の人物の内の何れの人物かを判別することにより、その人物を判別する、
ことを特徴とする請求項１に記載の表示制御装置。
【請求項４】
前記検出の人物の視認状況を取得する取得手段と、
を具備し、
前記選択手段は、前記人物と前記視認状況とに応じた画像加工種を選択し、
前記表示制御手段は、前記人物と前記視認状況とに応じて異なる画像加工種で加工された加工表示画像を、前記検出の人物向けの表示画像として表示する、
ことを特徴とする請求項１〜３の何れかに記載の表示制御装置。
【請求項５】
前記検出の人物の視認状況を取得する取得手段と、
を具備し、
前記表示制御手段は、前記画像加工種に応じて加工される加工表示画像を、前記取得手段で取得した前記視認状況に応じてその加工レベルを変更した加工表示画像を、前記検出の人物向けの表示画像として表示する、
ことを特徴とする請求項１〜３の何れかに記載の表示制御装置。
【請求項６】
前記視認状況は、前記検出の人物が、過去に表示された画像を視認する毎に更新される視認回数、あるいは過去に表示された画像を視認した際の累計滞在時間、の視認状況である、
ことを特徴とする請求項４又は５に記載の表示制御装置。
【請求項７】
画像を表示制御する表示制御装置のコンピュータを制御するためのプログラムであって、
前記コンピュータを、
前記画像が表示される表示位置近傍の人物を検出した際は、その検出した人物を判別する判別手段、
前記判別手段で判別された人物に応じた画像加工種を選択する選択手段、
前記人物の検出により表示対象となる表示画像を特定し、その特定された表示画像を前記選択手段で選択された画像加工種に応じて加工した加工表示画像を、前記検出の人物向けの表示画像として表示する表示制御手段、
として機能させるようにしたプログラム。
【発明の詳細な説明】
【技術分野】
【０００１】
本発明は、画像を表示する表示制御装置に関する。
【背景技術】
【０００２】
近年、デジタルカメラで撮影された画像を再生する装置として、デジタルフォトフレームと呼ばれる再生専用機が製品化されている。このデジタルフォトフレームは、好みの場所に設置しておくだけで、いつでも自由に画像を鑑賞（視認）することができるという利点がある。そして、従来においては、画像を表示する際に、そのフォトフレームの前に居るユーザの人数、又はユーザが誰なのかに応じて、その画像の表示態様を変化させるようにした技術が存在している（特許文献１参照）。なお、更に、従来においては、単に撮影画像（写真画像）をそのまま表示させるのではなく、写真画像を絵画調に画像変換することで、壁掛け画像としてより特徴を出せるようにした技術も存在している（特許文献２参照）。
【先行技術文献】
【特許文献】
【０００３】
【特許文献１】特開２０１０‐１６４３２号公報
【特許文献２】特開２００２‐２９８１３６号公報
【発明の概要】
【発明が解決しようとする課題】
【０００４】
しかしながら、上述した先行技術（特許文献１）にあっては、フォトフレームの前に居るユーザの人数や誰かに応じて、画像の表示態様を変化させるのみであるので、そのフォトフレームの前に居るユーザの人数が同じであったり、同一人物であったりすれば、同じ内容の画像が表示されることになり、その結果、そのフォトフレームの前に来る度に、同じ内容の画像しか視認できず、直ぐに見飽きられてしまうという問題があった。そこで、時間経過に応じて複数の画像を順次切り替え表示させるようにすれば良いが、複数の同じ画像がサイクリックに繰り返し表示させだけでは、結局、同じ画像を視認することになり、また、お気に入りの画像が表示されていても、時間経過に応じて他の画像に変更されてしまうという問題もあった。
【０００５】
本発明の課題は、表示位置近傍の人物に応じて工夫した表示制御を実現できるようにすることである。
【課題を解決するための手段】
【０００６】
請求項１は、画像を表示制御する表示制御装置であって、前記画像が表示される表示位置近傍の人物を検出した際は、その検出した人物を判別する判別手段と、前記判別手段で判別された人物に応じた画像加工種を選択する選択手段と、前記人物の検出により表示対象となる表示画像を特定し、その特定された表示画像を前記選択手段で選択された画像加工種に応じて加工した加工表示画像を、前記検出の人物向けの表示画像として表示する表示制御手段と、ことを特徴とする。
【発明の効果】
【０００７】
本発明によれば、表示位置近傍の人物に応じて工夫した表示制御を実現できる。
【図面の簡単な説明】
【０００８】
【図１】画像表示装置として適用した再生専用機としてのデジタルフォトフレームの基本的な構成要素を示したブロック図。
【図２】（１）は、視認者別更新テーブル記憶部Ｍ３を示し、（２）は、画像変更テーブル記憶部Ｍ４を示した図。
【図３】非接触ＩＣ通信部９や撮像部１０による人物検出によって実行開始されるデジタルフォトフレームの動作概要を示したフローチャート。
【図４】図３の動作に続くフローチャート。
【図５】第２実施形態におけるデジタルフォトフレームの基本的な構成要素を示したブロック図。
【図６】（１）は、第２実施形態の視認者別更新テーブル記憶部Ｍ３を示し、（２）は、第２実施形態の画像変更テーブル記憶部Ｍ４を示した図。
【図７】第２実施形態において、画像表示のスタート指示に応答して実行開始されるデジタルフォトフレームの動作概要を示したフローチャート。
【図８】図７の動作に続くフローチャート。
【発明を実施するための形態】
【０００９】
（実施形態１）
以下、図１〜図４を参照して本発明の第１実施形態を説明する。
図１は、画像表示装置として適用した再生専用機としてのデジタルフォトフレームの基本的な構成要素を示したブロック図である。
デジタルフォトフレームは、その全体が略長方体の薄型筐体を成し、この長方体の筐体を横長にして立て置きするスタンドタイプである。そして、このフォトフレームは、各種の機能として、複数の画像データ（静止画、動画、一部動画）を再生表示させる再生機能と、現在日時を得る計時機能や時間を計測するタイマ機能と、表示されている画像を視認する視認者を撮影する撮像機能と、近距離通信を行う非接触型のＩＣタグリーダー機能とを備え、ＣＰＵ１を中核として動作する構成となっている。ＣＰＵ１は、電源部（例えば、商用電源又は二次電池）２からの電力供給によって動作し、記憶装置３内の各種のプログラムに応じてこのデジタルフォトフレームの全体動作を制御する中央演算処理装置である。
【００１０】
記憶装置３は、例えば、ＲＯＭ、ハードディスク、フラッシュメモリ又はそれらを組み合わせた構成で、プログラム記憶部Ｍ１、画像データ記憶部Ｍ２、後述する視認者別更新テーブル記憶部Ｍ３、画像変更テーブル記憶部Ｍ４などを有している。プログラム記憶部Ｍ１は、図３及び図４に示した動作手順に応じて本実施形態を実現するためのプログラムや各種のアプリケーションなどが格納されているほか、それに必要となる各種の情報が記憶されている。画像データ記憶部Ｍ２は、再生用としての各種の画像データを記憶する領域で、視認者毎に複数のお気に入り画像を順次記憶する視認者別フォルダ、視認者を特化しない一般的な複数の画像を記憶する一般用フォルダなど、各種の画像フォルダを有している。
【００１１】
ＲＡＭ４は、フラグ情報、画面情報など、デジタルフォトフレームが動作するために必要となる各種の情報を一時的に記憶するワーク領域である。表示部５は、縦横比（アスペクト比）の異なる長方形を成し、デジタルフォトフレームの前面側の略全域に配設されたもので、例えば、高精細液晶ディスプレイや有機ＥＬ（Electro Luminescence）ディスプレイ、電気泳動型ディスプレイ（電子ペーパ）などを使用し、例えば、画像、日時などを高精細に表示する。ＣＰＵ１は、画像データ記憶部Ｍ２に記憶されている画像を読み出して表示駆動部６に与える。表示駆動部６は、ＣＰＵ１からの表示制御信号に応答して動作するもので、表示対象の画像データを表示部５に表示させたり、ＣＰＵ１からの表示切り替え信号に応答して画像データを切り替え表示させたりする表示制御を行う。そして、表示部５は、その表面に指の接触を検出する接触操作部（透明なタッチパネル）を積層配設させることにより、例えば、静電容量方式、抵抗膜方式、圧電方式などのタッチスクリーン（タッチ画面）を構成する。
【００１２】
キー操作部７は、図示省略したが、押しボタン形式の各種のキーを備えている。例えば、電源をオン／オフさせるキー、画像表示の開始／終了を指示するキーなどを備え、ＣＰＵ１は、このキー操作部７からの入力操作信号に応じた処理を行う。カードＩＦ（インターフェース）８は、カードスロット（図１では図示省略）に挿入接続されたメモリカード（図示省略）との間で画像データの送受信を行うもので、ＣＰＵ１は、メモリカード（例えば、ＳＤカード）から画像データを読み出し取得して、画像データ記憶部Ｍ２に格納することにより画像データを登録するようにしている。なお、図示しないが、ＵＳＢ（Universal Serial Bus）インタフェースを設け、ＵＳＢメモリから取り込んだ画像データを画像データ記憶部Ｍ２に格納するようにしてもよい。
【００１３】
非接触ＩＣ通信部９は、電波を利用した非接触型のＩＣタグリーダー部を構成するもので、デジタルフォトフレームの前面側において表示部５の近傍に配設され、人物認識用として使用される。すなわち、非接触ＩＣ通信部９は、近傍に居る人物（表示部５を視認する視認者）に装着されているアンテナ付ＩＣタグ（図示省略）、つまり、ＲＦＩＤ（Radio Frequency Identification）タグに対して電波を発信し、それに応答してＩＣタグ側から電波でＩＣタグ（タグ識別情報）が送信されると、それを受信してＩＣタグ情報を取得する。ここで、ＣＰＵ１は、画像表示に先立って、非接触ＩＣ通信部９の検出結果に基づいてＩＣタグ情報を取得したか、つまり、近傍に人物（視認者）が居るか否かを監視し、視認者が居ることを検出すると、非接触ＩＣ通信部９から取得したＩＣタグ情報に基づいて視認者は誰であるかを特定する人物認識処理（人物特定処理）を行うようにしている。
【００１４】
撮像部１０は、デジタルフォトフレームの前面側において表示部５の近傍に配設され、表示部５に対面する方向を撮影するデジタルカメラで、撮影レンズ、絞り機構、撮像素子（Ｃ−ＭＯＳ、ＣＣＤ）、光学系駆動部のほか、アナログ処理回路、信号処理回路、圧縮伸張回路、オートフォーカス機能（ＡＦ機能）、露出調整機能（ＡＥ機能）などを備えている。ＣＰＵ１は、画像表示に先立って、撮像部１０で撮像された画像を解析しながら近傍に人物（視認者）が居るかを監視し、視認者が居ることを検出すると、撮像部１０により撮像された人物の顔を中心とした画像部分を取得して、この画像部分を解析することにより近傍に居る人物（表示部５を視認する視認者）は誰であるかを特定する人物認識処理（人物特定処理）を行うようにしている。
【００１５】
図２は、視認者別更新テーブル記憶部Ｍ３、画像変更テーブル記憶部Ｍ４を説明するための図で、図２（１）は、視認者別更新テーブル記憶部Ｍ３を示し、（２）は、画像変更テーブル記憶部Ｍ４を示した図である。
視認者別更新テーブル記憶部Ｍ３は、表示部５を視認する視認者として予め任意に登録された視認者に関する人物情報を記憶すると共に、この登録視聴者毎に、上述の人物認識処理（人物特定処理）により特定された現時点までの特定回数（視認状況）を記憶するもので、図２（１）に示すように、「視認者識別情報」、「視認者画像情報」、「特定回数」の項目を有する構成となっている。
【００１６】
「視認者識別情報」は、人物認識時に使用される比較基準用の情報で、家族などの名前やＩＤを示した登録情報である。「視認者画像情報」は、人物認識時に使用される比較基準用の情報で、家族などの顔を中心に撮影した登録画像である。「特定回数」は、上述の人物認識処理（人物特定処理）により特定された視認者の現時点までの特定回数（累計値）を視認状況として記憶する項目で、その値は、画像表示に先立って、その視認者が特定される毎に更新される。なお、「視認者識別情報」、「視認者画像情報」は、任意に登録可能なもので、例えば、製品購入に伴う初期設定時などにおいて事前登録された人物に限らず、それ以外に任意の人物も追加登録することが可能となっている。なお、事前登録された視認者とは、その視認者に対応して専用の画像変更テーブル（後述する）が設定されている人物を意味し、追加登録された視認者とは、その視認者対応の専用テーブルが設定されていない視認者（事前登録者以外の人物）を意味している。また、視認者別更新テーブル記憶部Ｍ３の内容を任意に登録した際に、「特定回数」の値として“０”が設定される。
【００１７】
画像変更テーブル記憶部Ｍ４は、上述した視認者別の特定回数に応じて、表示部５に表示させる画像の内容をどのように変更するかを示す変更情報を記憶するもので、図２（２）に示すように、「回数」、「切替画像番号」、「加工種」、「加工レベル」、「変更種有効フラグ」の項目を有している。そして、画像変更テーブル記憶部Ｍ４は、事前登録毎に設けられた専用の画像変更テーブルＭ４−１、Ｍ４−２、Ｍ４−３、…、を有し、更に登録視認者以外を対象とした一般用の画像変更テーブルＭ４−ｎを有している。なお、これらの画像変更テーブル（登録視認者別の画像変更テーブルと一般用の画像変更テーブル）も「回数」、「切替画像番号」、「加工種」、「加工レベル」、「変更種有効フラグ」を有する同様の構成となっている。
【００１８】
「回数」は、視認者別の特定回数を複数の回数範囲に区分するもので、図示の例では、“１回〜３回”、“４回〜６回”、“７回〜９回”、“１０回〜１２回”、“１３回（ＭＡＸ）”の回数範囲に区分されている。なお、“１３回（ＭＡＸ）”は、特定回数の最大値を示している。「切替画像番号」は、「回数」に応じてどのような内容の画像を表示部５に切り替え表示させるかを指定する画像識別情報（画像番号）で、図示の例では、“１回〜３回”、“４回〜６回”、“７回〜９回”、“１０回〜１２回”に対応する画像番号として、“１”、“２”、“３”、“４”が記憶されている。ＣＰＵ１は、複数の画像の中から「回数」に対応する「切替画像番号」が示す画像を表示部５に切り替え表示させることにより画像内容を変更させるようにしている。
【００１９】
「加工種」は、「回数」に応じてどのような種類の加工を、表示部５に表示される画像（対応する「切替画像番号」で指定される画像）に対して施すかを示す情報（加工の種類を示す情報）で、図示の例では、“１回〜３回”、“４回〜６回”、“７回〜９回”、“１０回〜１２回”に対応する「加工種」として、“油絵調”、“水彩画調”、“パステル調”、“アニメ調”が記憶されている。なお、“油絵調”、“水彩画調”、“パステル調”、“アニメ調”は、「画像番号」で示される画像（原画）に対して施す特殊な画像加工（絵画調変換）の種類を示したもので、ＣＰＵ１は、「回数」に対応する「加工種」に応じた種類の加工を原画に対して施すことにより表示部５に表示させる画像の内容を変更させるようにしている。
【００２０】
「加工レベル」は、対応する「加工種」で指定される種類の画像加工を、表示部５に表示される画像（対応する「切替画像番号」で指定される画像）に対して施す場合に、「回数」に応じて加工の度合をどの位にするかを示す情報で、図示の例では、“１回〜３回”、“４回〜６回”、“７回〜９回”、“１０回〜１２回”に対応する「加工レベル」として、“レベル１”、“レベル２”、“レベル３”、“レベル４”が記憶されている。なお、加工度合は、”レベル４“が最も大きく、“レベル１”＜“レベル２”＜“レベル３”＜“レベル４の関係となっている。ＣＰＵ１は、「回数」に対応する「加工レベル」に応じで原画に加工を施すことにより表示部５に表示させる画像の内容を変更させるようにしている。「変更種有効フラグ」は、「切替画像番号」、「加工種」、「加工レベル」のいずれを使用して（有効にして）、画像内容を変更するかを示すフラグで、“フラグ１”は「切替画像番号」が有効、“フラグ２”は「加工種」が有効、“フラグ３”は「加工レベル」が有効であることを示している。
【００２１】
次に、第１実施形態におけるデジタルフォトフレームの動作概念を図３及び図４に示すフローチャートを参照して説明する。ここで、これらのフローチャートに記述されている各機能は、読み取り可能なプログラムコードの形態で格納されており、このプログラムコードに従った動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２２】
図３及び図４は、デジタルフォトフレームの動作概要を示したフローチャートで、非接触ＩＣ通信部９や撮像部１０による人物検出によって実行開始される。
先ず、ＣＰＵ１は、非接触ＩＣ通信部９や撮像部１０の検出結果に基づいて近傍に人物（視認者）が居ることを検出すると、非接触ＩＣ通信部９の検出結果に基づいて人物を検出したかを調べ（図３のステップＡ１）、非接触ＩＣ通信部９による人物検出であれば（ステップＡ１でＹＥＳ）、非接触ＩＣ通信部９から取得したＩＣタグ情報に基づいて視認者別更新テーブル記憶部Ｍ３内の「視認者識別情報」を検索し、該当する登録人物を視認者として特定する（ステップＡ２）。この場合、該当する人物が登録されていなければ、登録人物以外の人物を視認者として特定する。
【００２３】
また、非接触ＩＣ通信部９による人物検出でなければ（ステップＡ１でＮＯ）、撮像部１０による人物検出であると判断して、ステップＡ３に移り、撮像部１０から取得した顔画像に基づいて視認者別更新テーブル記憶部Ｍ３内の「画像情報」を検索することにより、該当する登録人物を視認者として特定する。この場合、該当する人物が登録されていなければ、登録人物以外の人物を視認者として特定する。なお、非接触ＩＣ通信部９や撮像部１０を一定時間毎に駆動（例えば、２秒間隔で駆動）するようにしてもよい。
【００２４】
このようにして特定した視認者が視認者別更新テーブル記憶部Ｍ３に登録されているかを調べる（ステップＡ４）。ここで、特定視認者に対応する「視認者識別情報」、「視認者画像情報」が記憶されていなければ（ステップＡ４でＮＯ）、今回の特定視認者を追加登録するために視認者別更新テーブル記憶部Ｍ３の空き領域に新たな「視認者識別情報」、「視認者画像情報」、「特定回数」を確保し、非接触ＩＣ通信部９又は撮像部１０の検出結果をその「視認者識別情報」、「視認者画像情報」に追加登録させると共に（ステップＡ５）、この追加登録の視認者に対応してその「特定回数」に初期値“１”を記憶させる（ステップＡ６）。
【００２５】
また、今回特定した視認者に対応してその「視認者識別情報」、「視認者画像情報」が登録されていれば（ステップＡ４でＹＥＳ）、視認者別更新テーブル記憶部Ｍ３内からその特定視認者（特定者）に対応する「特定回数」を読み出す（ステップＡ７）。そして、この「特定回数」の値は“１３回（ＭＡＸ）”以上であるかを調べ（ステップＡ８）、それがＭＡＸ値以上であれば（ステップＡ８でＹＥＳ）、その「特定回数」に初期値“１”を記憶させてその値を初期値に戻すが（ステップＡ６）、ＭＡＸ値未満であれば（ステップＡ８でＮＯ）、「特定回数」に“１”を加算してその値を更新する処理を行う（ステップＡ９）。
【００２６】
今回特定した視認者（特定者）は、視認者別更新テーブル記憶部Ｍ３に事前登録されている視認者であるかを調べ（ステップＡ１０）、視認者別更新テーブルに事前登録されている視認者であれば（ステップＡ１０でＹＥＳ）、画像変更テーブル記憶部Ｍ４内の各種の画像変更テーブル中から特定視認者に対応する画像変更テーブルを指定する（ステップＡ１１）。そして、この画像変更テーブルから「変更種有効フラグ」を読み出すと共に（ステップＡ１２）、画像データ記憶部Ｍ２から特定視認者に対応する視認者別フォルダを表示対象として選択する（ステップＡ１３）。
【００２７】
一方、今回特定した視認者が事前登録されている視認者でなければ（ステップＡ１０でＮＯ）、上述のように追加登録された視認者であるから、ステップＡ１４に移り、画像変更テーブル記憶部Ｍ４内の各種の画像変更テーブルの中から一般用の画像変更テーブルを指定して、その一般用の画像変更テーブルから「変更種有効フラグ」を読み出すと共に（ステップＡ１５）、画像データ記憶部Ｍ２から登録視認者を特化しない一般用フォルダを表示対象として選択する（ステップＡ１６）。
【００２８】
そして、図４のフローに移り、視認者別更新テーブル記憶部Ｍ３から特定視認者対応の「特定回数」を読み出した後（ステップＡ１７）、画像変更テーブルから読み出した「変更種有効フラグ」は“１（切替画像番号）”であるかを調べたり（ステップＡ１８）、“２（加工種）”であるかを調べたり（ステップＡ２２）、“３（加工レベル）”であるかを調べたりする（ステップＡ２６）。ここで、「変更種有効フラグ」が“１（切替画像番号）”であれば（ステップＡ１８でＹＥＳ）、特定視認者対応の画像変更テーブルを参照し、特定視認者の「特定回数」に対応する「切替画像番号」を読み出す（ステップＡ１９）。そして、この「切替画像番号」で指定される画像を、特定視認者対応の画像フォルダから選択し（ステップＡ２０）、その選択画像を表示部５に表示させる（ステップＡ２１）。
【００２９】
また、「変更種有効フラグ」が“２（加工種）”であれば（ステップＡ２２でＹＥＳ）、特定視認者対応の画像変更テーブルを参照して、特定視認者の「特定回数」に対応する「切替画像番号」及び「加工種」をそれぞれ読み出す（ステップＡ２３）。そして、この「切替画像番号」で指定される画像に対して、その「加工種」で指定される種類の加工を施した後（ステップＡ２４）、その加工画像を表示部５に表示させる（ステップＡ２５）。また、「変更種有効フラグ」が“３（加工レベル）”であれば（ステップＡ２６でＹＥＳ）、特定視認者対応の画像変更テーブルを参照し、特定視認者の「特定回数」に対応する「切替画像番号」、「加工種」、「加工レベル」をそれぞれ読み出す（ステップＡ２７）。そして、この「切替画像番号」で指定される画像に対して、その「加工種」で指定される加工を施すが、その際、その「加工レベル」で指定される加工具合の加工を施した後（ステップＡ２８）、その加工画像を表示部５に表示させる（ステップＡ２９）。
【００３０】
その後、ステップＡ３０に移り、非接触ＩＣ通信部９や撮像部１０の検出結果に基づいて近傍に特定視認者が居なくなったか（特定人物検出終了か）を調べ、この特定視認者が居なくなるまで画像を継続表示させる。ここで、特定視認者が近傍に居なくなったことを検出したときには（ステップＡ３０でＹＥＳ）、表示部５に表示されている画像を消去した後（ステップＡ３１）、図３及び図４のフローの終了となる。
【００３１】
以上のように、第１実施形態においてＣＰＵ１は、画像を表示する表示部５の表示内容を視認する視認者を、非接触ＩＣ通信部９や撮像部１０による検出結果に基づいて特定すると共に、特定した視認者毎に計測された現時点までの視認状況に基づいて、表示部５に表示される画像内容を変更するようにしたので、変化に富んだ新鮮な画像の表示が可能となり、視認者の視認状況に応じて見飽きないように工夫した表示を実現することができ、利用価値の高いものとなる。
【００３２】
ＣＰＵ１は、撮像部１０により撮像された画像を解析することにより視認者を特定するようにしたので、特別な操作を行うことなく、デジタルフォトフレームを見るためにその近傍に来た人物を視認者として容易に特定することができる。
【００３３】
人物が身に付けているＩＣタグからの情報を受信する非接触ＩＣ通信部９を備え、この非接触ＩＣ通信部９からの情報に基づいて視認者を特定するようにしたので、特別な操作を行うことなく、デジタルフォトフレームを見るためにその近傍に来た人物を視認者として容易に特定することができる。
【００３４】
表示部５に画像を表示する表示開始されるに先立って、視認者を特定するようにしたので、表示を開始する前に画像内容を変更させることが可能となる。
【００３５】
ＣＰＵ１は、画像表示に先立って、非接触ＩＣ通信部９や撮像部１０の検出結果に基づいて近傍に居る人物を視認者として特定した回数（累計値）をその人物の視認状況として計測するようにしたので、視認者毎にデジタルフォトフレームの前に来た回数を現時点までの視認状況とすることができ、その回数に応じた画像内容の変更が可能となる。
【００３６】
視認者が特定されてからその視認者が特定できなくなるまでの間、画像内容が変更された画像を表示部５に継続して表示させるようにしたので、視認者が近傍に居る間は同じ画像を表示させることができ、視認者はその変更画像をゆっくり鑑賞することが可能となる。
【００３７】
複数の画像の中から指定した画像を切り替え表示させることにより画像内容を変更するようにしたので、視認者はその視認状況に応じて新たな画像を鑑賞することができる。
【００３８】
視認者毎に対応付けて記憶されている複数の画像の中から指定した画像を切り替え表示させることにより画像内容を変更するようにしたので、その視認者のお好みの画像を鑑賞することができる。
【００３９】
画像を加工することによりその画像内容を変更するようにしたので、同じ画像が表示されても絵画風などに加工された画像を鑑賞することができる。
【００４０】
画像の加工の仕方が異なる複数種の加工のうち、その加工の種類を変更することによりその画像内容を変更するようにしたので、視認者はその視認状況に応じて異なる種類の加工画像を鑑賞することができる。
【００４１】
画像の加工レベルを異ならせることによりその画像内容を変更するようにしたので、視認者は同じ画像及び同じ種類の加工であってもその視認状況に応じて加工具合の異なる加工画像を鑑賞することができる。
【００４２】
なお、上述した第１実施形態においては、特定した視認者毎に現時点までの視認状況として特定回数を計測するようにしたが、特定回数に限らず、一定期間当たりに何回来たか（視認したか）の特定頻度を計測し、この特定頻度に応じて画像内容を変更するようにしてもよい。このように特定頻度を計測するようにすれば、例えば、１日などの短期間内に何回も来たとしても見飽きないような画像表示を実現することができる。
【００４３】
また、上述した第１実施形態においては、特定視認者が来た特定回数を計測するようにしたが、視認者が画像表示の開始を指示した指示回数を特定回数として計測するようにしてもよい。このように特定回数を画像表示の開始指示回数とすれば、特定回数がそのまま視認回数となる。
【００４４】
（実施形態２）
以下、この発明の第２実施形態について図５〜図８を参照して説明する。
なお、上述した第１実施形態においては、画像表示に先立って、非接触ＩＣ通信部９や撮像部１０の検出結果に基づいて近傍に居る人物を視認者として特定すると共に、その特定回数（累計値）をその人物の視認状況として計測するようにしたが、この第２実施形態においては、指紋認証や音声認識の結果に基づいて視認者を特定すると共に、その視認者がデジタルフォトフレームの前に居る滞在時間（視認者が特定される毎に累計された現時点までの累計滞在時間）をその人物の視認状況として計測するようにしたものである。ここで、両実施形態において基本的あるいは名称的に同一のものは、同一符号を付して示し、その説明を省略すると共に、以下、第２実施形態の特徴部分を中心に説明するものとする。
【００４５】
図５は、第２実施形態におけるデジタルフォトフレームの基本的な構成要素を示したブロック図である。
デジタルフォトフレームは、上述した第１実施形態と同様に、各種の機能として、複数の画像データ（静止画、動画、一部動画）を再生表示させる再生機能と、現在日時を得る計時機能と、時間を計測するタイマ機能とを備えているほか、この第２実施形態においては、視認者の生体（指紋など）を認証する生体認証機能を備えている。また、デジタルフォトフレームの基本的な構成要素として第１実施形態と同様に、ＣＰＵ１、電源部２、記憶装置３、ＲＡＭ４、表示部５、キー操作部７、カードＩＦ８を有しているほか、第２実施形態においては、上述の生体認証機能を構成する指紋センサ１１、音声入力部１２を有している。
【００４６】
指紋センサ１１は、半導体方式によって指紋情報を読み取るもので、指紋の凹凸に応じた電荷量を電圧値に変換したのち、この電圧値をデジタル画像（指紋画像）に変換するもので、ＣＰＵ１は、指紋センサ部１４から得られた指紋画像を解析することにより指紋情報（指紋中心点、分岐点、端点、三角州など）を得た後、この指紋情報と視認者別更新テーブル記憶部Ｍ３に登録されている指紋情報とを比較し、両者は特徴的に一致するか否かに基づいて視認者を特定するようにしている。音声入力部１２は、視認者の音声を入力するもので、入力された音声波形をデジタルデータに変換するもので、ＣＰＵ１は、入力音声と視認者別更新テーブル記憶部Ｍ３に登録されている音声情報とを比較し、両者は特徴的に一致するか否かに基づいて視認者を特定するようにしている。
【００４７】
図６は、第２実施形態における視認者別更新テーブル記憶部Ｍ３、画像変更テーブル記憶部Ｍ４を説明するための図で、図６（１）は、視認者別更新テーブル記憶部Ｍ３を示し、（２）は、画像変更テーブル記憶部Ｍ４を示した図である。
視認者別更新テーブル記憶部Ｍ３は、表示部５を視認する視認者として予め任意に登録された視認者に関する人物情報を記憶すると共に、この登録視聴者毎に、特定された視認者がデジタルフォトフレームの前に居た滞在時間（視認状況）を記憶するもので、図６（１）に示すように、「視認者指紋情報」、「視認者音声情報」、「累計滞在時間」の項目を有している。
【００４８】
すなわち、第１実施形態の視認者別更新テーブル記憶部Ｍ３は、図２（１）に示したように、「視認者識別情報」、「視認者画像情報」、「特定回数」の項目を有する構成であるが、第２実施形態の視認者別更新テーブル記憶部Ｍ３は、「視認者指紋情報」、「視認者音声情報」、「累計滞在時間」の項目を有する構成となっている。「視認者指紋情報」は、人物認識時に使用される比較基準用の情報で、家族などの登録指紋情報である。「視認者音声情報」は、人物認識時に使用される比較基準用の情報で、家族などの登録音声情報である。「累計滞在時間」は、その視認者がデジタルフォトフレームの前に居た現時点までの累計の滞在時間、つまり、デジタルフォトフレームの前に来る度に（視認者が特定される毎に）計測された滞在時間を累計した現時点までの累計滞在時間を示し、何回も視認していた場合に視認毎に累計された滞在時間の累計値（視認状況）である。なお、第２実施形態においても視認者別更新テーブル記憶部Ｍ３の内容を任意に登録可能であるが、この登録時には「累計滞在時間」として“０”が設定される。
【００４９】
画像変更テーブル記憶部Ｍ４は、上述した視認者別の滞在時間に応じて、表示部５に表示させる画像の内容をどのように変更するかを示す変更情報を記憶するもので、図６（２）に示すように、「滞在時間」、「切替画像番号」、「加工種」、「加工レベル」、「変更種有効フラグ」の項目を有している。「滞在時間」は、視認者別の滞在時間を複数の時間範囲（時間枠）に区分するもので、図示の例では、“０分〜２０分”、“２１分〜４０分”、“４１分〜６０分”、…、“１４１分（ＭＡＸ）”の時間枠に区分されている。「切替画像番号」は、「滞在時間」に応じて切り替え表示させる画像を指定する情報で、図示の例では、“０分〜２０分”、“２１分〜４０分”、“４１分〜６０分”、…に対応する画像番号として、“１”、“２”、“３”が記憶されている。ＣＰＵ１は、複数の画像の中から「滞在時間」に対応する「切替画像番号」が示す画像を表示部５に切り替え表示させることにより画像内容を変更させるようにしている。
【００５０】
「加工種」は、対応する「切替画像番号」で指定される画像に対して施す加工の種類を示し、図示の例では、“０分〜４０分”、“４１分〜８０分”、…に対応する「加工種」として、“油絵調”、“水彩画調”、…が記憶されている。ＣＰＵ１は、この「加工種」が指定する種類の加工を、「切替画像番号」が指定する画像（原画）に対して施すことにより表示部５に表示させる画像の内容を変更させるようにしている。「加工レベル」は、対応する「切替画像番号」で指定される画像に対して「加工種」が指定する種類の加工を施す場合に、「滞在時間」に応じて加工の度合をどの位にするかを示す情報で、図示の例では、“０分〜２０分”、“２１分〜４０分”、“４１分〜６０分”、“６１分〜８０分”、…に対応する「加工レベル」として、“レベル１”、“レベル２”
“レベル１”、“レベル２”、…が記憶されている。
【００５１】
図７及び図８は、第２実施形態においてデジタルフォトフレームの動作概要を示したフローチャートで、ユーザ操作による画像表示のスタート指示に応答して実行開始される。
先ず、ＣＰＵ１は、音声入力部１２からの音声入力により視認者特定が指示されたかを調べ（図７のステップＢ１）、音声入力による視認者特定が指示されたときには（ステップＢ１でＹＥＳ）、その入力音声に基づいて視認者別更新テーブル記憶部Ｍ３内の「視認者音声情報」と照合する音声認識を行って該当する登録人物を視認者として特定する（ステップＢ２）。また、音声入力による視認者特定が指示されなければ（ステップＢ１でＮＯ）、指紋センサ１１による視認者特定が指示されたものと判断して、ステップＢ３に移り、指紋センサ１１から取得した指紋情報に基づいて視認者別更新テーブル記憶部Ｍ３内の「視認者指紋情報」と照合する指紋認識を行って該当する登録人物を視認者として特定する。
【００５２】
このようにして特定した視認者に対応する「累計滞在時間」を読み出し（ステップＢ４）、その値は“１４１分（ＭＡＸ）”以上であるかを調べ（ステップＢ５）、ＭＡＸ値以上であれば（ステップＢ５でＹＥＳ）、「累計滞在時間」に初期値“０”を記憶させる（ステップＢ６）。次に、ステップＢ７に移り、特定視認者対応の「累計滞在時間」を滞在時間カウンタにセットしてその計測動作を開始させる。そして、画像変更テーブル記憶部Ｍ４の「滞在時間」を参照して、滞在時間カウンタの計測値に応じた時間枠を指定した後（ステップ８）、画像変更テーブル記憶部Ｍ４から「変更種有効フラグ」を読み出す（ステップＢ９）。
【００５３】
そして、図８のフローに移り、「変更種有効フラグ」は“１（切替画像番号）”であるかを調べたり（ステップＢ１０）、“２（加工種）”であるかを調べたり（ステップＢ１４）、“３（加工レベル）”であるかを調べたりする（ステップＢ１８）。ここで、「変更種有効フラグ」が“１（切替画像番号）”であれば（ステップＢ１０でＹＥＳ）、上述の指定時間枠に対応する「切替画像番号」を画像変更テーブル記憶部Ｍ４から読み出し（ステップＢ１１）、この「切替画像番号」で指定される画像を、所定の画像フォルダから選択し（ステップＢ１２）、その選択画像を表示部５に表示させる（ステップＢ１３）。
【００５４】
また、「変更種有効フラグ」が“２（加工種）”であれば（ステップＢ１４でＹＥＳ）、上述の指定時間枠に対応する「切替画像番号」及び「加工種」を画像変更テーブル記憶部Ｍ４からそれぞれ読み出し（ステップＢ１５）、この「切替画像番号」で指定される画像に対して、その「加工種」で指定される種類の加工を施した後（ステップＢ１６）、その加工画像を表示部５に表示させる（ステップＢ１７）。また、「変更種有効フラグ」が“３（加工レベル）”であれば（ステップＢ１８でＹＥＳ）、上述の指定時間枠に対応する「切替画像番号」、「加工種」、「加工レベル」を画像変更テーブル記憶部Ｍ４からそれぞれ読み出し（ステップＢ１９）、この「切替画像番号」で指定される画像に対して、その「加工種」で指定される加工を施すが、その際に、その「加工レベル」で指定される加工具合の加工を施した後（ステップＢ２０）、その加工画像を表示部５に表示させる（ステップＢ２１）。
【００５５】
そして、画像変更テーブル記憶部Ｍ４の「滞在時間」を参照して、滞在時間カウンタの値に応じた時間枠が次の時間枠に移ったかを調べたり（ステップＢ２２）、ユーザ操作により画像表示の終了が指示されたかを調べたりする（ステップＢ２３）。ここで、表示終了が指示されたときには（ステップＢ２３でＹＥＳ）、滞在時間カウンタの計測値（今回の滞在時間）を特定視認者に対応する「累計滞在時間」に加算すると共に、滞在時間カウンタの計測動作を停止した後（ステップＢ２７）、図７及び図８のフローの終了となる。また、次の時間枠に移ったときには（ステップ２２でＹＥＳ）、滞在時間カウンタの値は“１４１分（ＭＡＸ）”以上であるかを調べ（ステップＢ２４）、ＭＡＸ値以上であれば（ステップＢ２４でＹＥＳ）、滞在時間カウンタに“０”をセットしてその計測動作を再開させる（ステップＢ２５）。そして、滞在時間カウンタの値に応じた時間枠を指定した後（ステップＢ２６）、上述のステップＢ１０に移り、以下、上述と同様の表示制御が繰り返す。
【００５６】
以上のように、第２実施形態においてＣＰＵ１は、特定した視認者の滞在時間に基づいて、表示部５に表示される画像内容を変更するようにしたので、変化に富んだ新鮮な画像の表示が可能となり、視認者の滞在時間に応じて見飽きないように工夫した表示を実現することができ、利用価値の高いものとなる。
【００５７】
画像を表示する表示部５の表示内容を視認する視認者を、指紋センサ１１や音声入力部１２から入力された情報に基づいて特定するようにしたので、生体情報からの確実な特定が可能となる。
その他、第２実施形態においても上述した第１実施形態と同様の効果を有する。
【００５８】
なお、上述した第２実施形態においては、視認者が特定される毎に累計された現時点までの累計滞在時間に基づいて画像内容を変更するようにしたが、今回の滞在時間に基づいて画像内容を変更するようにしてもよい。すなわち、上述した第２実施形態においては、画像表示のスタート指示時に、特定視認者に対応する「累計滞在時間」を滞在時間カウンタにセットしてからその計測動作を開始するようにしたが、滞在時間カウンタに“０”をセットしてからその計測動作を開始するようにすればよい。
【００５９】
上述した第２実施形態においては、累計滞在時間を計測するようにしたが、累計滞在時間に限らず、一定期間当たりの累計滞在時間（滞在頻度）を計測して画像内容を変更するようにしてもよい。このように滞在頻度を計測するようにすれば、例えば、１日などの短期間内に何回も来て長時間見たとしても見飽きないような画像表示を実現することができる。
【００６０】
上述した第２実施形態においては、単一の画像変更テーブル記憶部Ｍ４を設けた構成としたが、第１実施形態と同様に、事前登録毎に設けられた専用の画像変更テーブルと、登録者以外を対象とした一般用の画像変更テーブルを有する構成としてもよい。
【００６１】
また、上述した第１実施形態においては、特定回数を視認状況とし、第２実施形態においては、累計滞在時間を視認状況としたが、特定回数、特定頻度、累計滞在時間、滞在頻度の個々に限らず、それら２以上を組み合わせたものを視認状況としてもよい。また、特殊な画像加工としては、絵画調変換に限らず、例えば、単なるぼかし加工や色白加工、着色などであてもよく、その加工の種類は問わない。また表示部５に表示される画像は、静止画に限らず、動画であってもよく、一部動画であってもよい。
【００６２】
上述した各実施形態においては、全体が略長方体の薄型筐体を横長にして立て置きするスタンドタイプのデジタルフォトフレームを示したが、これに限らず、壁掛けタイプのデジタルフォトフレームであってもよく、どのようなタイプのデジタルフォトフレームであっても同様に適用可能である。
【００６３】
また、上述した各実施形態においては、画像表示装置としてデジタルフォトフレームに適用した場合を示したが、画像表示部を備えた携帯電話機・卓上電子計算機・パーソナルコンピュータ（ノートパソコンなど）・ＰＤＡ・デジタルカメラ・音楽プレイヤーなどであってもよい。
【００６４】
その他、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００６５】
１  ＣＰＵ
３  記憶装置
５  表示部
７  キー操作部
９  非接触ＩＣ通信部
１０  撮像部
１１  指紋センサ
１２  音声入力部
Ｍ１  プログラム記憶部
Ｍ２  画像データ記憶部
Ｍ３  視認者別更新テーブル記憶部
Ｍ４  画像変更テーブル記憶部
【図１】
0006269869.tif 000002
【図２】
0006269869.tif 000003
【図３】
0006269869.tif 000004
【図４】
0006269869.tif 000005
【図５】
0006269869.tif 000006
【図６】
0006269869.tif 000007
【図７】
0006269869.tif 000008
【図８】
0006269869.tif 000009